(57)【要約】【課題】  水路において絶滅した動植物を復活させ、水田と水路及び河川等の間で水生動物の往来を助けることができ、河川とこれを取り巻く周辺環境において、自然と共生できてその恵みを将来に亘って享受できる環境保全型ブロック及びその構造を提供すること。【解決手段】  底板と左右の側壁とを有し、水路として利用されるコンクリートブロックであって、左右少なくともいずれか一方の側壁から底板表面に至る水路の内角部に、幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされたブロックを提供する。【選択図】  図１
2005082972.tif 000002
【特許請求の範囲】
【請求項１】
底板と左右の側壁とを有し、水路として利用されるコンクリートブロックであって、前記左右少なくともいずれか一方の側壁から底板表面に至る水路の内角部に、幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロック。
【請求項２】
前記突出壁の下流側における側壁又は底板に少なくとも１以上の小突起が設けられてなることを特徴とする請求項１記載の環境保全型ブロック。
【請求項３】
前記小突起は、前記側壁又は底板とプレキャストにより一体成形されるか、もしくは側壁又は底板に形成されたインサート孔に挿入されたインサート部品により形成されてなることを特徴とする請求項２記載の環境保全型ブロック。
【請求項４】
水路幅方向中央に向けて突出された前記突出壁の先端部が上流方向又は下流方向に折曲されてなることを特徴とする請求項１乃至３いずれかに記載の環境保全型ブロック。
【請求項５】
前記底板に、全幅にわたって隆起した堰が設けられてなることを特徴とする請求項１乃至４いずれかに記載の環境保全型ブロック。
【請求項６】
前記突出壁が形成された側の側壁と対向する側の側壁の一部において水路幅が拡張されてなることを特徴とする請求項１乃至５いずれかに記載の環境保全型ブロック。
【請求項７】
前記拡張部分の上方に蓋体が設けられてなることを特徴とする請求項６記載の環境保全型ブロック。
【請求項８】
底板と左右の側壁とを有する水路の左右少なくともいずれか一方の側壁から底板表面に至る水路の内角部に設置されるコンクリートブロックであって、平板状の底板部を有し、該底板部の上面には前記水路に設置した際に該水路の幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロック。
【請求項９】
前記突出壁の下流側における底板部に少なくとも１以上の小突起が設けられてなることを特徴とする請求項８記載の環境保全型ブロック。
【請求項１０】
前記底板部と一体に形成された側壁部を有し、断面Ｌ字状に形成されてなることを特徴とする請求項８又は９記載の環境保全型ブロック。
【請求項１１】
前記底板部及び側壁部の少なくともいずれか一方に複数個のアンカーボルト挿入用穴が設けられてなることを特徴とする請求項８乃至１０いずれかに記載の環境保全型ブロック。
【請求項１２】
前記底板又は底板部に、少なくとも１以上の小陥没部が形成されてなることを特徴とする請求項１乃至１１いずれかに記載の環境保全型ブロック。
【請求項１３】
既存のコンクリートで形成された三面張りの水路の左右少なくともいずれか一方の側壁から底板表面に至る水路の内角部の一部が取り壊され、該取り壊された箇所に請求項８又は９記載のブロックが挿入され、該ブロックと既存水路のコンクリートの隙間がシール材又はモルタルにて止水されてなることを特徴とする環境保全型ブロック構造。
【請求項１４】
既存のコンクリートで形成された三面張りの水路の左右少なくともいずれか一方の側壁から底板表面に至る水路の内角部に請求項１０記載のブロックが設置され、該ブロックのアンカーボルト挿入用穴に挿入されたアンカーボルトにより該ブロックが既存水路に固定され、該ブロックと既存水路のコンクリートの隙間がシール材又はモルタルにて止水されてなることを特徴とする環境保全型ブロック構造。
【請求項１５】
左右の側壁と底面からなり、前記左右の側壁が少なくとも１枚以上の側壁板を積み上げて形成され、前記底面が現場打ちコンクリートからなる水路において、前記左右少なくともいずれか一方の側壁板から底面に至る水路の内角部に、幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロック構造。
【請求項１６】
前記突出壁の下流側における側壁又は底面に少なくとも１以上の小突起が設けられてなることを特徴とする請求項１５記載の環境保全型ブロック構造。
【請求項１７】
左右の側壁と底面からなり、前記左右の側壁が少なくとも１枚以上の側壁板を積み上げて形成され、前記底面が現場打ちコンクリートからなる水路において、前記底面の一部が取り壊されて、該取り壊された箇所に請求項８又は９記載のブロックが挿入されることにより、前記左右少なくともいずれか一方の側壁板から底面に至る水路の内角部に突出壁が形成されてなることを特徴とする環境保全型ブロック構造。
【請求項１８】
前記突出壁が形成された側の側壁と対向する側の側壁の一部において水路幅が拡張されてなることを特徴とする請求項１７記載の環境保全型ブロック構造。
【請求項１９】
前記拡張部分の上方に蓋体が設けられてなることを特徴とする請求項１８記載の環境保全型ブロック構造。
【請求項２０】
水田に水を供給するための水路と、該水路内の水が排水される河川とが、堤防を挟んで位置してなり、該堤防の内部には水路の水を河川へと排水するための水通路が貫通してなるとともに、前記河川の該堤防側の法面には同形状のコンクリートブロックが積み重ねられてなり、該法面には前記水通路の出口が開口してなる排水構造に適用されるブロック構造であって、前記法面に沿って前記出口から河川の底に向かう傾斜水路が形成されてなり、該傾斜水路は前記法面を形成するコンクリートブロックの一部が水路となる空間部を有するとともに上面が開放された他のコンクリートブロックと該ブロックの上面を覆う蓋ブロックに置き換えられることにより形成されてなり、該他のコンクリートブロックが請求項１乃至７いずれかに記載のブロックからなることを特徴とする環境保全型ブロック構造。
【請求項２１】
水田と該水田に水を供給するための水路とを連絡する連絡水路に適用されるブロック構造であって、前記連絡水路が請求項１乃至７いずれかに記載のブロックから形成されてなることを特徴とする環境保全型ブロック構造。
【発明の詳細な説明】
【技術分野】
【０００１】
本発明は、河川やその周辺環境に動植物の生育空間を創り出すための環境保全型ブロック及びこのブロックを用いた環境保全型ブロック構造に関する。
【背景技術】
【０００２】
我が国では、従来治水と利水を目的とした川づくりがすすめられてきた。
しかし、このような目的で行われた川づくりは、河川環境の保全という理念を全く欠いたものであったため、既存の生態系を破壊し、河川に生育していた水中動物を絶滅に至らしめることも多かった。
また、近年の下水道の整備によって、水路に家庭の生活廃水が流れ込まなくなったため、従来水が充分に流れていた水路の水が枯れる現象が多く見られるようになり、従来水路を生育空間としていた水中動物の絶滅を招いていた。
【０００３】
また、上記したような河川環境の保全という理念を欠いた川づくりによって、日本全国の至るところにコンクリートで形成された三面張りの水路が創り出された。
しかし、コンクリートの三面張り水路は、既存の動植物の生態系を何ら考慮することなく、治水や利水のみを目的としてつくられているため、水路内において生育する動植物に配慮した構造を全く有していなかった。そのため、動植物が多く生育していた河川や水路がコンクリートの三面張り水路に代わった途端に、水流の変化や水質の悪化によって生育していた動植物が殆ど見受けられなくなるといった現象が全国各地の至るところで生じていた。
【０００４】
また、水田は、我が国における主食である米を育てる場所であると同時に、その周囲環境と共に多様な動植物の生育環境ともなっている。
水田には、上流の河川、池、沼等（以下、河川等と略）から水路を介して水が引かれており、水田から河川等にかけては図２３に示すような断面構造を有しているのが一般的である。
図２３中、（Ａ）は水田、（Ｂ）は水路、（Ｃ）は河川、（Ｄ）はコンクリート張りされた河川の法面、（Ｅ）は堤防、（Ｆ）は水門、（Ｇ）は水田から水路へ通じる小水路、（Ｈ）は小水路への水の流通を調節するために畦に設けられた堰板、（Ｉ）は水路から河川へと通じる水通路である。
【０００５】
このような構造においては、水路（Ｂ）から水田（Ａ）に給水する場合、堰板（Ｈ）により水田（Ａ）の底よりも高くなる水位にして給水を行う。また、大雨等の際には、稲の苗が水没しないように、水田（Ａ）の堰板（Ｈ）を取り外して小水路（Ｇ）から水路（Ｂ）に排水する。
そして、水路（Ｂ）の河川側出口（Ｂ１）では、河川（Ｃ）の水位の高さが（Ｃ１）であれば、水路（Ｂ）を通った水は河川へと落下する。一方、河川（Ｃ）が増水して水位の高さが（Ｃ２）と高くなると、河川（Ｃ）の水が水路（Ｂ）や水田（Ａ）に流れ込まないように水門（Ｆ）が閉じられる。
【０００６】
しかしながら、このような構造では、魚や昆虫のような水中動物は河川から水路、水田へと遡上することができないという問題があった。
すなわち、河川（Ｃ）の水位が（Ｃ１）のように低い場合には、水位（Ｃ１）と水通路（Ｉ）の河川側出口（Ｉ１）との間の高低差が大きいために遡上することができず、一方、水位が（Ｃ２）のように高くなると水門（Ｆ）が閉じられるために遡上することができず、結局のところ、水中動物は水田や水路と河川との間を往来することはできなかった。
【０００７】
尚、本願発明者は河川や水路において水中動物の保護を図るためのブロック構造を既に提案しているが（特許文献１参照）、このブロック構造は上記したような水田における水中動物の遡上や水路の水枯れに対策を施したものではなかった。
【特許文献１】特開２００３−３４９２０号公報
【発明の開示】
【発明が解決しようとする課題】
【０００８】
本発明は上記実情に鑑みてなされたものであって、水流や水質の改善によって、河川の環境保全と回復を図り、コンクリートの三面張り水路において絶滅した動植物を復活させることができるとともに、水田とこれに水を供給する水路及び河川等の間で水中動物の往来を助けることができ、河川とこれを取り巻く周辺環境において、自然と共生できてその恵みを将来に亘って享受することができる環境保全型ブロック及びこれを用いたブロック構造を提供せんとするものである。
【課題を解決するための手段】
【０００９】
請求項１に係る発明は、底板と左右の側壁とを有し、水路として利用されるコンクリートブロックであって、前記左右少なくともいずれか一方の側壁から底板表面に至る水路の内角部に、幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロックに関する。
請求項２に係る発明は、前記突出壁の下流側における側壁又は底板に少なくとも１以上の小突起が設けられてなることを特徴とする請求項１記載の環境保全型ブロックに関する。
請求項３に係る発明は、前記小突起は、前記側壁又は底板とプレキャストにより一体成形されるか、もしくは側壁又は底板に形成されたインサート孔に挿入されたインサート部品により形成されてなることを特徴とする請求項２記載の環境保全型ブロックに関する。
請求項４に係る発明は、水路幅方向中央に向けて突出された前記突出壁の先端部が上流方向又は下流方向に折曲されてなることを特徴とする請求項１乃至３いずれかに記載の環境保全型ブロックに関する。
【００１０】
請求項５に係る発明は、前記底板に、全幅にわたって隆起した堰が設けられてなることを特徴とする請求項１乃至４いずれかに記載の環境保全型ブロックに関する。
請求項６に係る発明は、前記突出壁が形成された側の側壁と対向する側の側壁の一部において水路幅が拡張されてなることを特徴とする請求項１乃至５いずれかに記載の環境保全型ブロックに関する。
請求項７に係る発明は、前記拡張部分の上方に蓋体が設けられてなることを特徴とする請求項６記載の環境保全型ブロックに関する。
請求項８に係る発明は、底板と左右の側壁とを有する水路の左右少なくともいずれか一方の側壁から底板表面に至る水路の内角部に設置されるコンクリートブロックであって、平板状の底板部を有し、該底板部の上面には前記水路に設置した際に該水路の幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロックに関する。
請求項９に係る発明は、前記突出壁の下流側における底板部に少なくとも１以上の小突起が設けられてなることを特徴とする請求項８記載の環境保全型ブロックに関する。
請求項１０に係る発明は、前記底板部と一体に形成された側壁部を有し、断面Ｌ字状に形成されてなることを特徴とする請求項８又は９記載の環境保全型ブロックに関する。
請求項１１に係る発明は、前記底板部及び側壁部の少なくともいずれか一方に複数個のアンカーボルト挿入用穴が設けられてなることを特徴とする請求項８乃至１０いずれかに記載の環境保全型ブロックに関する。
【００１１】
請求項１２に係る発明は、前記底板又は底板部に、少なくとも１以上の小陥没部が形成されてなることを特徴とする請求項１乃至１１いずれかに記載の環境保全型ブロックに関する。
請求項１３に係る発明は、既存のコンクリートで形成された三面張りの水路の左右少なくともいずれか一方の側壁から底板表面に至る水路の内角部の一部が取り壊され、該取り壊された箇所に請求項８又は９記載のブロックが挿入され、該ブロックと既存水路のコンクリートの隙間がシール材又はモルタルにて止水されてなることを特徴とする環境保全型ブロック構造に関する。
請求項１４に係る発明は、既存のコンクリートで形成された三面張りの水路の左右少なくともいずれか一方の側壁から底板表面に至る水路の内角部に請求項１０記載のブロックが設置され、該ブロックのアンカーボルト挿入用穴に挿入されたアンカーボルトにより該ブロックが既存水路に固定され、該ブロックと既存水路のコンクリートの隙間がシール材又はモルタルにて止水されてなることを特徴とする環境保全型ブロック構造に関する。
【００１２】
請求項１５に係る発明は、左右の側壁と底面からなり、前記左右の側壁が少なくとも１枚以上の側壁板を積み上げて形成され、前記底面が現場打ちコンクリートからなる水路において、前記左右少なくともいずれか一方の側壁板から底面に至る水路の内角部に、幅方向中央に向けて突出するが他方の側壁には達しない突出壁が形成され、該突出壁は水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされてなることを特徴とする環境保全型ブロック構造に関する。
請求項１６に係る発明は、前記突出壁の下流側における側壁又は底面に少なくとも１以上の小突起が設けられてなることを特徴とする請求項１５記載の環境保全型ブロック構造に関する。
請求項１７に係る発明は、左右の側壁と底面からなり、前記左右の側壁が少なくとも１枚以上の側壁板を積み上げて形成され、前記底面が現場打ちコンクリートからなる水路において、前記底面の一部が取り壊されて、該取り壊された箇所に請求項８又は９記載のブロックが挿入されることにより、前記左右少なくともいずれか一方の側壁板から底面に至る水路の内角部に突出壁が形成されてなることを特徴とする環境保全型ブロック構造に関する。
請求項１８に係る発明は、前記突出壁が形成された側の側壁と対向する側の側壁の一部において水路幅が拡張されてなることを特徴とする請求項１７記載の環境保全型ブロック構造に関する。
請求項１９に係る発明は、前記拡張部分の上方に蓋体が設けられてなることを特徴とする請求項１８記載の環境保全型ブロック構造に関する。
【００１３】
請求項２０に係る発明は、水田に水を供給するための水路と、該水路内の水が排水される河川とが、堤防を挟んで位置してなり、該堤防の内部には水路の水を河川へと排水するための水通路が貫通してなるとともに、前記河川の該堤防側の法面には同形状のコンクリートブロックが積み重ねられてなり、該法面には前記水通路の出口が開口してなる排水構造に適用されるブロック構造であって、前記法面に沿って前記出口から河川の底に向かう傾斜水路が形成されてなり、該傾斜水路は前記法面を形成するコンクリートブロックの一部が水路となる空間部を有するとともに上面が開放された他のコンクリートブロックと該ブロックの上面を覆う蓋ブロックに置き換えられることにより形成されてなり、該他のコンクリートブロックが請求項１乃至７いずれかに記載のブロックからなることを特徴とする環境保全型ブロック構造に関する。
請求項２１に係る発明は、水田と該水田に水を供給するための水路とを連絡する連絡水路に適用されるブロック構造であって、前記連絡水路が請求項１乃至７いずれかに記載のブロックから形成されてなることを特徴とする環境保全型ブロック構造に関する。
【発明の効果】
【００１４】
請求項１に係る発明によれば、突出壁の裏側（下流側）に土砂を堆積させて動植物の生育の場を水路内に生み出すことができるとともに、水路内における水流の速度を変化させて緩やかな水流となる部分を創り出すことによって水中動物の遡上を容易とすることができる。また、突出壁の水路の上流側に向く面を曲面や傾斜面とした場合には、水路内を流れてくる草の切れ端やゴミ等が突出壁に引っ掛かることを防止できる水路用コンクリートブロックが得られる。
また、突出壁によって、水路内において水流を蛇行させることができ、水路内において土砂の堆積を促進することができるとともに、水中動物の遡上が容易な水路を得ることができる。
請求項２に係る発明によれば、小突起と突出壁の間に、小石やブロックを置いたときに、置かれた小石やブロックが流出するのを防ぐことが可能となり、このような小石やブロックを集積させることによって、水路内に水中動物の住処をつくりだすことができる。
請求項３に係る発明によれば、小突起をプレキャストにより一体成形した場合には安価且つ容易に形成することができ、インサート部品により形成した場合には必要に応じて適宜小突起を装着することが可能となる。
【００１５】
請求項４に係る発明によれば、突出壁の先端部が下流方向に折曲されている場合、上流側から流れてくる土砂等が突出壁の裏側（下流側）に堆積し易くなり、上流方向に折曲されている場合、流れてくる土砂が堆積しにくくなることで水苔等が発生しやすくなる。
請求項５に係る発明によれば、堰によって水路中に常時水溜りが形成されて水中動物にとって好適な生育環境がつくりだされる。
請求項６に係る発明によれば、水路幅を拡張した拡幅部を設けることにより、水路内で水の流れが蛇行して、底板の上面に流れてくる土砂等が堆積するので、堆積した部分において水中植物や動物を育成することが可能となる。
請求項７に係る発明によれば、拡幅部に蓋体を被せることにより、拡幅部分の上部に盛土を被せることが可能となるため、法規制などで水路幅が広くとれない箇所においても問題なくブロックを配設することが可能となる。
請求項８に係る発明によれば、底面と左右の側壁とを有する水路の左右少なくともいずれか一方の側壁から底板表面に至る水路の内角部に設置されることによって、請求項１に係る発明と同様の作用効果を得ることが可能となる。更に、ブロックを小寸法に形成できるため、制作費が安価ですむとともに、既存の水路の任意の箇所に設置することが可能であるため、適用範囲が極めて広いものとなる。
請求項９に係る発明によれば、小突起と突出壁の間に、小石やブロックを置いたときに、置かれた小石やブロックが流出するのを防ぐことが可能となり、このような小石やブロックを集積させることによって、水路内に水中動物の住処をつくりだすことができる。
【００１６】
請求項１０に係る発明によれば、ブロックが断面Ｌ字状に形成されていることによって、既存のコンクリートで形成された三面張りの水路に設置するのに好適である。
請求項１１に係る発明によれば、アンカーボルトによって既存のコンクリート三面張り水路に対して容易且つ強固に固定することが可能となる。
請求項１２に係る発明によれば、底板に形成された小陥没部の中に水路を流れてきた土砂が溜まることによって、ブロック内における土砂の堆積厚みを増加させることができ、これによって水中の動植物にとってより一層好適な生態系が形成される。
請求項１３及び１４に係る発明によれば、既存のコンクリートで形成された三面張りの水路において、絶滅した動植物を復活させることができるようになる。
請求項１５に係る発明によれば、左右の側壁が１枚以上の側壁板を積み上げて形成され、底面が現場打ちコンクリートで形成された水路において、動植物の生育の場を水路内につくりだすことができる。
請求項１６に係る発明によれば、小突起と突出壁の間に、小石やブロックを置いたときに、置かれた小石やブロックが流出するのを防ぐことが可能となり、このような小石やブロックを集積させることによって、水路内に水中動物の住処をつくりだすことができる。
請求項１７に係る発明によれば、左右の側壁が１枚以上の側壁板を積み上げて形成され、底面が現場打ちコンクリートで形成された水路において、絶滅した動植物を復活させることができるようになる。
【００１７】
請求項１８に係る発明によれば、既存の左右の側壁が１枚以上の側壁板を積み上げて形成され、底面が現場打ちコンクリートで形成された水路において、水路内で水の流れが蛇行して、底板の上面に流れてくる土砂等が堆積するので、堆積した部分において水中植物や動物を育成することが可能となる。
請求項１９に係る発明によれば、拡幅部に蓋体を被せることにより、拡幅部分の上部に盛土を被せることが可能となるため、法規制などで水路幅が広くとれない箇所においても問題なくブロックを配設することが可能となる。
請求項２０に係る発明によれば、河川に生育する水中動物は、河川の水位が低いときであっても、傾斜水路を通って河川側出口から水通路へと遡上することが可能となる。また、傾斜水路に設けられる突出壁によって、水路の底部分に土砂が自然に堆積されて動植物の生育環境が創り出されるとともに、傾斜水路を通って遡上する水中動物の遡上が非常に容易となる。
請求項２１に係る発明によれば、水路に生育する水中動物が水田へと遡上することを助けることが可能となり、水田の周辺環境に水中動物にとって好適な生育空間を創り出すことができる。
【発明を実施するための最良の形態】
【００１８】
以下、本発明を実施するための最良の形態について、図面を参照しつつ説明する。
図１は本発明に係る環境保全型ブロックの第一実施形態を示す外観斜視図である。
第一実施形態に係るブロック（１）は、底板（２）と左右の側壁（３）（４）とを有し、水路として利用される断面Ｕ字型のコンクリートブロックである。
このブロック（１）の左右いずれか一方の側壁（３）（４）から底板（２）表面に至る水路の内角部に、幅方向中央（水路内方）に向けて突出するが他方の側壁には達しない突出壁（５）が形成されており、この突出壁（５）は底板（２）及び側壁（３）（又は（４））と一体に形成されている。
尚、本明細書において、突出壁が「幅方向中央に突出する」とは、単に水路の内方に向いて延びていることを意味し、側壁に対する角度を限定するものではなく、側壁と直角方向に突出したもの、上流方向に向いて突出したもの、下流方向に向けて突出したもののいずれの場合も含む概念であり、本発明ではいずれの構成を採用することもできる。
【００１９】
本発明において設けられる突出壁（５）は、図示の如く、水路の上流側に向く面が曲面又は傾斜面とされることが好ましい。また、必要に応じて、水路の下流側に向く面についても曲面又は傾斜面としてもよい。
更に、水路幅方向断面において、側壁から底板に向けて徐々に低くなる曲面又は傾斜面とされることが好ましい。
図１の例は、水路の上流側に向く面（５１）を傾斜面としたものである。尚、図中の白抜き矢印は水流の方向を示しており、これは他の図においても同様である。
【００２０】
但し、本発明において、突出壁（５）の形状は特に限定されず、水路の上流側又は下流側に向く面が曲面、傾斜面又は垂直面或いはこれらの２つ又は３つの面を組み合わせた面とされ且つ水路幅方向中央に向く面が曲面、傾斜面又は垂直面或いはこれらの２つ又は３つの面を組み合わせた面とされていればよい。尚、これは後述する他の実施形態の突出壁（５），（５ａ），（５ｂ）についても同様である。
図２及び図３は突出壁（５）（（５ａ），（５ｂ）も含む）の具体的形状の一例を示す断面図であって、図２は水路幅方向断面図、図３は水路長さ方向断面図である。但し、これらはあくまでも一例である。
【００２１】
このように形成された突出壁（５）は、その裏側（下流側）に土砂を堆積させて動植物の生育の場を水路内に生み出すとともに、水路内における水流の速度を変化させて緩やかな水流となる部分を創り出すことによって水中動物の遡上を容易とすることができる。
また、突出壁（５）の水路の上流側に向く面（５１）を曲面又は傾斜面とすることによって、水路内を流れてくる草の切れ端やゴミ等が突出壁（５）に引っ掛かることを防止できる。
【００２２】
上記図示例では、突出壁（５）は一方の側壁（３）のみに形成されているが、２つの突出壁（５）をブロック（１）の長さ方向に沿って右側壁と左側壁に交互に形成する構成も好ましく採用できる。
但し、本発明においては、ブロック（１）に設けられる突出壁（５）の数は特に限定されるものではなく、左右いずれかの側壁に１つだけ設けてもよいし、３つ以上の突出壁（５）を左右の側壁に交互に設けることも可能である。
【００２３】
また、本発明に係るブロック（１）は、突出壁（５）の下流側における側壁（３）及び／又は底板（２）に少なくとも１以上の小突起（７）が設けられている。尚、小突起（７）が設けられる側壁（３）は、突出壁（５）が設けられた側の側壁である。また、突出壁の下流側とは、側壁に平行な線に沿った突出壁の下流側、即ち上流側から見たときに突出壁によって隠れる範囲の下流側を意味している。
このように突出壁（５）の下流側に小突起（７）を設けておくと、小突起（７）と突出壁（５）の間に、一般的な河川にある小石やブロック（一人の人間が持ち運びできる程度の重さのもの）を置いたときに、置かれた小石やブロックが流出するのを防ぐことが可能となる。そして、このような小石やブロックを集積させることによって、水路内に水中動物の住処をつくりだすことができる。また、ポーラスのブロックを置くこともできる。
また、小石やブロックに代えて、牡蠣殻等の水質浄化材を入れた網状の袋体を、小突起（７）と突出壁（５）の間に設置することで、水路内の水質浄化を図ることができる。
【００２４】
上記した小突起（７）は、側壁（３）及び／又は底板（２）とプレキャストにより一体成形されることにより形成してもよいし、側壁（３）及び／又は底板（２）に形成されたインサート孔に挿入されたインサート部品により形成してもよい。
図４は、側壁（３）及び／又は底板（２）にインサート孔（７１）を形成し、このインサート孔（７１）に内周面に雌ねじを有する筒状体（７２）を嵌合するとともに、外周面に雄ねじを有する円筒形状のインサート部品（７３）をこの筒状体（７２）の雌ねじと螺合させて装着する様子を示している。
小突起（７）を構成するインサート部品（７３）としては、塩ビ管、鋳鉄棒、アルミボルト等の水中にあっても錆の発生が少ないものが用いられる。
【００２５】
また、本発明に係るブロック（１）においては、図１に示す如く、突出壁（５）が形成された側の側壁（３）と対向する側の側壁（４）の一部において水路幅を拡張することが好ましい。
この拡幅部（４１）は、図示の如く突出壁（５）と対向する位置に設けることが好ましいが、突出壁（５）の上流位置もしくは下流位置に設けることも可能である。更に、図示していないが、突出壁（５）が設けられた側の側壁（３）を外方向に拡張し、対向する側の側壁（４）を狭めることも可能である。
【００２６】
このような拡幅部（４１）を設けることによって、水路内で水の流れが蛇行して、底板（２）の上面に流れてくる土砂等が堆積するので、堆積した部分において水中植物や動物を育成することが可能となる。
また、拡幅部（４１）を突出壁（５）と対向する位置に設けると、水路内における横断面積の変化を小さく抑えて、水の流速の差を少なくすることができる。
【００２７】
上記した拡張部分（拡幅部（４１））の上方には、蓋体（３５）を被せることが好ましい。
図５（ａ）（ｂ）は、ブロック（１）の拡幅部（４１）の上方に蓋体（３５）を設けて設置した状態を示す断面図である。
このように拡幅部（４１）に蓋体（３５）を被せると、図示の如く、拡幅部分の上部に盛土を被せることが可能となるため、法規制等により水路幅が広くとれない箇所においても問題なくブロック（１）を配設することが可能となる。
また、左右の側壁を同じ高さにすることができるため、製作、運搬の効率がよくなり、経済的なブロックとなるというメリットもある。
【００２８】
図６は本発明に係る環境保全型ブロックの第二実施形態を示す外観斜視図である。
この第二実施形態に係るブロック（１）は、第一実施形態に係るブロックと同様に、底板（２）と左右の側壁（３）（４）とを有し、水路として利用される断面Ｕ字型のコンクリートブロックであって、第一実施形態のブロックと同様の突出壁（５）及び小突起（７）を備えている。
【００２９】
第二実施形態のブロックの特徴は、水路幅方向中央に向けて突出された突出壁（５）の先端部（５２）が下流方向に湾曲又は折曲（図示例では折曲されている）されることによって、突出壁（５）が全体として平面視翼状に形成されていることにある。
このように、突出壁（５）の先端部（５２）が下流方向に折曲されていることにより、上流側から流れてくる土砂等が突出壁（５）の裏側（下流側）に堆積し易くなるという効果が得られる。
尚、水路近辺に生息する水中生物の数や種類に合わせて、水路幅方向中央に向けて突出された突出壁（５）の先端部（５２）を、上流方向に向けることも可能であり、この場合には、流れてくる土砂が堆積しにくくなることで水苔等が発生しやすくなる。
【００３０】
上記第一実施形態及び第二実施形態のブロック（１）において、底板（２）には少なくとも１以上の小陥没部（６）を形成することが好ましく、この小陥没部（６）は、突出壁（５）の下流側に設けることが好ましい。
底板（２）に形成された小陥没部（６）は、その中に水路を流れてきた土砂が溜まることによって、ブロック内における土砂の堆積厚みを増加させることができ、これによって水中の動植物にとってより一層好適な生態系が形成される。
【００３１】
図７は、本発明に係る環境保全型ブロックの第三実施形態を示す外観斜視図である。
第三実施形態に係るブロック（１ａ）は、底板部（２ａ）のみからなる平板状（図示例では長方形板状）のコンクリートブロックである。尚、第三実施形態及び後述する第四実施形態のブロック（１ａ）において、第一及び第二実施形態のブロック（１）と同じ構成については、（５ａ）の如く第一及び第二実施形態のブロック（１）において用いた数字の後に（ａ）の枝記号を付して表している。
この第三実施形態に係るブロック（１ａ）は、図７及び図８に示すように、底板と左右の側壁とを有する水路（１００）の左右少なくともいずれか一方の側壁から底板表面に至る水路の内角部に設置される。
図７では、第三実施形態に係るブロック（１ａ）が設置される水路（１００）が、プレキャストコンクリートからなるＵ字型側溝ブロックにより形成された場合が示されているが、図８に示されるような左右の側壁が少なくとも１枚以上の側壁板（１０１）を積み上げて形成され且つ現場打ちコンクリートにより底部（１０３）が形成される水路であってもよい。図８示の水路（１００）では、左右の側壁板（１０１）の間を繋ぐように断面Ｕ字状の薄板からなる支持ブロック（１０２）が設けられ、この支持ブロック（１０２）の下辺部は現場打ちコンクリートからなる底部に埋設固定されている。
尚、図示していないが、第三実施形態に係るブロック（１ａ）は、現場打ちコンクリートにより底部が形成される門型の側溝ブロックを用いた水路に対して適用することも可能である。
【００３２】
第三実施形態に係るブロック（１ａ）が設置される水路が、図７のようなプレキャストコンクリートからなるＵ字型側溝ブロックからなる場合、成型時に予め第三実施形態に係るブロック（１ａ）を嵌入可能な凹部（８）を形成しておけばよく、図８のような現場打ちコンクリートにより底部が形成される水路からなる場合、コンクリートの現場打ちにて底面にブロック（１ａ）を嵌入可能な凹部（８）を形成すればよい。
凹部（８）の縦横の長さ及び深さの寸法は、第三実施形態のブロック（１ａ）と略同じ寸法とされ、凹部（８）にブロック（１ａ）を嵌め込んだ後に、該ブロック（１ａ）と水路（１００）を構成するＵ字型側溝ブロックのコンクリートの隙間は、シール材又はモルタルにて止水される。
【００３３】
第三実施形態に係るブロック（１ａ）の底板部（２ａ）の上面には、前記水路（Ｕ字型側溝ブロックにて形成された水路又は現場打ちコンクリートにて底面が形成された水路）に設置した際に該水路の幅方向中央に向けて突出するが他方の側壁には達しない突出壁（５ａ）が形成されている。
この突出壁（５ａ）は、水路（１００）の上流側又は下流側に向く面（５１ａ）が曲面又は傾斜面とされており（図７では傾斜面、図８では曲面）、該突出壁（５ａ）の下流側における底板部（２ａ）には少なくとも１以上の小突起（７ａ）が設けられている。
【００３４】
上記構成を有する第三実施形態に係るブロック（１ａ）は、図７及び図８に示すように、底板と左右の側壁とを有する水路（１００）の左右少なくともいずれか一方の側壁から底板表面に至る水路の内角部に設置されることによって、第一及び第二実施形態のブロックと同様の作用効果を得ることが可能となる。
更に、第三実施形態に係るブロック（１ａ）は、小寸法に形成できるため、制作費が安価ですむとともに、既存の水路の任意の箇所に設置することが可能であるため、適用範囲が極めて広いものとなる。
【００３５】
また、第三実施形態に係るブロック（１ａ）においても、底板部（２ａ）に少なくとも１以上の小陥没部（６ａ）を形成することが好ましく、この小陥没部（６ａ）は、突出壁（５ａ）の下流側に設けることが好ましい。これによって、小陥没部（６ａ）の中に水路を流れてきた土砂が溜まり、ブロック内における土砂の堆積厚みが増加することで、水中の動植物にとってより一層好適な生態系が形成される。
更に、第三実施形態に係るブロック（１ａ）において、図８に示したように、水路幅方向中央に向けて突出された突出壁（５ａ）の先端部（５２ａ）を下流方向に折曲し、突出壁（５ａ）を全体として平面視翼状に形成する構成も好ましく採用できる。これによって、上流側から流れてくる土砂等が突出壁（５ａ）の裏側（下流側）に堆積し易くなるという効果が得られる。また、先端部（５２ａ）を上流側に折曲してもよい。
【００３６】
上記した第三実施形態に係るブロック（１ａ）は、上述したように、既存のコンクリートで形成された三面張りの水路に設置することも可能である。
この場合、既存のコンクリート三面張りの水路の左右少なくともいずれか一方の側壁から底板表面に至る水路の内角部の一部をブレーカー等で取り壊し、該取り壊された箇所にブロック（１ａ）を挿入し、該ブロック（１ａ）と既存水路のコンクリートの隙間をシール材又はモルタルにて止水すればよい。
【００３７】
また、ブロック（１ａ）の底板部（２ａ）に複数個のアンカーボルト挿入用穴を設けて、このアンカーボルト挿入用穴にアンカーボルトを打ち込むことによって、ブロック（１ａ）を既存の三面コンクリート張り水路の内角部に設置することも可能である。この場合も、ブロック（１ａ）と既存水路のコンクリートの隙間は、シール材又はモルタルにて止水すればよい。
【００３８】
図８に示されるような左右の側壁が少なくとも１枚以上の側壁板を積み上げて形成され且つ現場打ちコンクリートにより底部が形成される水路（１００）において、側壁板（１０１）の一部を外側に向けて拡げて水路幅を拡張させる構成を採用することもできる。
この場合、図示の如く、ブロック（１ａ）が設置されることによって突出壁（５ａ）が形成されない側の側壁板を拡張することが好ましい。尚、図示していないが、突出壁（５ａ）が設けられた側の側壁板を外方向に拡張し、対向する側の側壁板を内方向に狭めることも可能である。
このような拡張部分（拡幅部）を設けることによって、水路内で水の流れが蛇行して、底面上に流れてくる土砂等が堆積するので、堆積した部分において水中植物や動物を育成することが可能となる。また、拡幅部を突出壁（５ａ）と対向する位置に設けると、水路内における横断面積の変化を小さく抑えて、水の流速の差を少なくすることができる。尚、拡幅部は突出壁（５ａ）よりも上流側又は下流側に設けてもよく、また突出壁（５ａ）が設けられた側の側壁板に設けることも可能である。
尚、このような拡張部分（拡幅部）の上方には、図５（ａ）（ｂ）に示したように、蓋体を被せることが好ましい。
【００３９】
図９は本発明に係る環境保全型ブロックの第四実施形態を示す外観斜視図である。
第四実施形態に係るブロック（１ａ）は、底板部（２ａ）と一体に形成された側壁部（３ａ）を有する断面Ｌ字状のコンクリートブロックである。
この第四実施形態に係るブロック（１ａ）も、第三実施形態のブロックと同様に、底板と左右の側壁とを有する水路（１００）の左右少なくともいずれか一方の側壁から底板表面に至る水路の内角部に設置される。尚、本明細書における水路には、コンクリート三面張りされた河川も含まれる。
【００４０】
第四実施形態に係るブロック（１ａ）は、側壁部（３ａ）を有すること以外は、第三実施形態のブロックと同様の構成を備えている。すなわち、第三実施形態のブロックと同様の構成からなる突出壁（５ａ）、小陥没部（６ａ）、小突起（７ａ）を備えている。尚、小陥没部（６ａ）及び小突起（７ａ）については、底板部（２ａ）に代えて或いは加えて側壁部（３ａ）に設けても良い。また、突出壁（５ａ）は、側壁部（３ａ）及び底板部（２ａ）と一体に設けられる。
【００４１】
このような第四実施形態に係るブロック（１ａ）は、図１０に示す如く、既存のコンクリートで形成された三面張りの水路に設置することができる。
この場合、既存のコンクリート三面張り水路の左右少なくともいずれか一方の側壁から底板表面に至る水路の内角部の一部をブレーカー等で取り壊し、該取り壊された箇所にブロック（１ａ）を挿入し、該ブロック（１ａ）と既存水路のコンクリートの隙間をシール材又はモルタルにて止水すればよい。
【００４２】
また、ブロック（１ａ）の底板部（２ａ）及び／又は側壁部（３ａ）に複数個のアンカーボルト挿入用穴（９ａ）を設けて、このアンカーボルト挿入用穴（９ａ）にアンカーボルト（９）を打ち込むことによって、ブロック（１ａ）を既存の三面コンクリート張り水路の内角部に設置することも可能である。この場合も、ブロック（１ａ）と既存水路のコンクリートの隙間は、シール材又はモルタルにて止水すればよい。
【００４３】
図１１は、第三又は第四実施形態に係るブロック（１ａ）を用いた本発明のブロック構造の水路縦断方向断面図である。
第三及び第四実施形態に係るブロック（１ａ）を用いた本発明のブロック構造によれば、第一及び第二実施形態に係るブロック（１）と同様の作用効果が得られる。
すなわち、突出壁（５ａ）は、その裏側（下流側）に土砂を堆積させて動植物の生育の場を生み出すとともに、水流の速度を変化させて緩やかな水流となる部分を創り出すことによって水中動物の遡上を容易とすることができ、突出壁（５ａ）の水路の上流側に向く面（５１ａ）の曲面又は傾斜面は、流れてくる草の切れ端等が引っ掛かることを防止する。
また、小陥没部（６ａ）は、流れてきた土砂を溜めて、ブロック内における土砂の堆積厚みを増加させ、水中の動植物にとってより一層好適な生態系を形成する。
更に、小突起（７ａ）は、突出壁（５ａ）との間に小石やブロック（図１１中に破線で示す）を集積させることを助けて、水路内に水中動物の住処をつくりだすことができる。
【００４４】
また、本発明においては、左右の側壁と底面からなり、左右の側壁が少なくとも１枚以上の側壁板（１０１）を積み上げて形成され、底面が現場打ちコンクリートからなる水路（１００）において、図１２に示す如く、突出壁（５ｂ）及び小突起（７ｂ）をプレキャストコンクリート板からなる側壁板（１０１）に予め一体的に形成しておくこともできる。
尚、このような組立て水路（１００）において、第一及び第二実施形態のブロック（１）と同じ構成については、（５ｂ）の如く第一及び第二実施形態のブロック（１）において用いた数字の後に（ｂ）の枝記号を付して表している。
突出壁（５ｂ）及び小突起（７ｂ）の具体的構成は、前述した第一乃至第四実施形態のブロックにおいて説明したのと同様の構成であり、小突起（７ｂ）については、図４に示したインサート孔にインサート部品を装着する構成を採用することもできる。
【００４５】
上記した各ブロック及びブロック構造において形成される突出壁の大きさは、基本的には、その幅が水路幅の３５％以下であり且つ５ｃｍ以上、より好ましくは１０ｃｍ以上とされる。また、高さについては、水路高さの３５％以下であり且つ５ｃｍ以上、より好ましくは１０ｃｍ以上とされる。
但し、図１０に示すような、既存のコンクリートで形成された三面張りの水路に設置する場合には、突出壁の高さ及び幅は、共に５０ｃｍ程度とすることが好ましい。
【００４６】
図１３は、本発明に係る環境保全型ブロックの第五実施形態を示す外観斜視図である。
このブロック（１）は、底板（２）と左右の側壁（３）（４）とを有し、水路として利用される断面Ｕ字型のコンクリートブロックである。
このブロック（１）の一方の側壁（３）から底板（２）表面に至る水路の内角部に、幅方向中央（水路内方）に向けて突出するが他方の側壁には達しない突出壁（５）が形成されている。これらの突出壁（５）は底板（２）及び左右の側壁（３）と一体に形成されており、この点は第一実施形態のものと同じである。尚、図では一方の側壁のみに突出壁が設けられているが、複数の突出壁を水路の長さ方向に沿って左右交互に設けても良い。
【００４７】
突出壁（５）の形状は、上流側の面が湾曲しており且つ上部から下部に向けて水路内側に向けて湾曲しながら傾斜している。尚、図中の矢印が水流の方向を示している。これによって、水路を流れてきた草やゴミが突出壁に引っ掛かることが防止される。尚、第一実施形態にて説明した他の形状を採用することもできる。
【００４８】
また、このブロック（１）では、底板（２）の表面において、水路の幅方向全幅に亘って上流に向けて上り勾配となる傾斜面（１２）と該傾斜面（１２）と連続する平坦面（１５）が一端部（上流側端部）に形成されている。
この傾斜面（１２）の存在によって、ブロック（１）の底板（２）の表面は、上流側端部が下流側端部よりも高位置となっており、一方、ブロックの底板の裏面も上流側端部において下流側端部よりも高位置となっている。
そして、ブロックの下流側端部の左右の側壁（３）（４）が上端から底板にかけて所定長さに亘って切り欠かれ、この切欠長さと同じ長さだけ上流側端部の底板の裏面が高位置となっている部分が設けられていることによって、下流側端部と上流側端部を上下に重ねることで、複数のブロック（１）をその長さ方向に接続して設置することが可能となる。
尚、本図においては省略されているが、ブロック（１）の端面にはブロック同士を接続したときの接続境界面からの水漏れを防ぐ為の止水構造が設けられる。これは、例えば止水ゴムを嵌め込むための溝であり、本図以外の他の図に記載されたブロックにおいても同様である。
【００４９】
図１４は、本発明に係る環境保全型ブロックの第六実施形態を示す図であり、（ａ）は平面図、（ｂ）は（ａ）のＡ−Ａ線断面図である。
このブロック（１）も第五実施形態のものと同様に、底板（２）と左右の側壁（３）（４）とを有し、水路として利用される断面Ｕ字型のコンクリートブロックである。
そして、このブロック（１）の一方の側壁（３）には、幅方向中央（水路内方）に向けて突出するが他方の側壁には達しない突出壁（５）が形成されており、これらの突出壁（５）は底板（２）及び側壁（３）と一体に形成されており、この点も第五実施形態のものと同じである。
【００５０】
この第六実施形態のブロック（１）も第五実施形態のものと同様に、底板（２）の表面において、水路の幅方向全幅に亘って上流に向けて上り勾配となる傾斜面（１３）が形成されているが、水路の幅方向全幅に亘って下流に向けて上り勾配となる傾斜面（１４）も併せて形成されている点で第五実施形態のものと相違している。
すなわち、第六実施形態のブロックでは、底板（２）の表面には、上り勾配終端部同士が対向するように形成された２つの傾斜面（１３）（１４）が形成されている。また、これら傾斜面（１３）（１４）の上端部同士を繋ぐように平坦面（１５）が形成されている。尚、この平坦面（１５）は図示例では水路横断方向に対して傾斜して設けられているが、水路横断方向（水路直交方向）に設けてもよい。
【００５１】
第六実施形態のブロックにおいて、突出壁（５）はその前後の底部分に土砂を自然に堆積させて動植物の生育環境を創り出すとともに遡上する水中動物の休憩場所をも創り出す役割を果たし、このようなブロック（１）を、突出壁（５）の位置を左右に異ならせて連設することによって、水路内で蛇行する水流を創り出して水中動物の遡上を助けることができる。
また、傾斜面（１３）（１４）と平坦面（１５）によって形成される隆起部は水路中に雨水などによる水溜りを形成して水中動物を保護する堰の役割を果たし、傾斜面（１３）は水中動物が隆起部に容易に遡上できるようにするようにする役割を果たす。
特に、水炊場や風呂水が下水道の整備により流れなくなった地域の環境の中で、水中生物の生態系に対し、雨水を溜めることは、これらの生命を継続させるのに有効に作用する。また、春から秋にかけては水田の稲作用の水が供給されるが、冬になると供給されずに水が枯れてしまう水路において、越冬動物のために水路底に水を溜めるのにも有効である。
【００５２】
尚、本発明において、平坦面（１５）の高さは、底板（２）の表面から３〜５ｃｍの範囲とすることが好ましい。
【００５３】
図１５は、本発明に係る環境保全型ブロックの第七実施形態を示す外観斜視図である。
このブロック（１）も、底板（２）と左右の側壁（３）（４）とを有し、水路として利用される断面Ｕ字型のコンクリートブロックである。
そして、このブロック（１）の一方の側壁（３）には、幅方向中央（水路内方）に向けて突出するが他方の側壁には達しない突出壁（５）が形成されており、これらの突出壁（５）は底板（２）及び側壁（３）と一体に形成されている。
【００５４】
この第七実施形態に係るブロック（１）の特徴は、底板（２）の表面に多数の小突起（７）を設けた点であって、これらの小突起（７）は、突出壁（５）の下流側だけでなく底板（２）の略全面にわたって分布するように設けられている。小突起（７）の形状は特に限定されないが、例えば上面が平らな円錐台形状とすることができる。
このように多数設けられた小突起（７）は、節足動物の歩行時の足掛かりに利用され、ブロック（１）を急流部に設置した場合に特に好適なものとなる。また、水苔の着生が起こり易く、水中動物の餌として供給することが可能となる。また、適宜、玉石などを置いたときに流出を防ぐ支えともなる。
また、底板（２）には、小突起（７）と混在するように、小陥没部（６）やインサート孔（３０）を設けても良い。
【００５５】
上記した本発明に係るブロック及びブロック構造においては、その底板（ブロック、現場打ち共に含む）の表面に、凹凸を形成する構成も好ましく採用できる。
このように水路の底面に設けられた凹凸は、土砂の溜まり場となって動植物に好適な生育環境を創り出すことができるとともに、節足動物が遡上する際の足掛かりともなる。
【００５６】
また、上記した本発明に係るブロック及びブロック構造にて形成される水路は、その上部開放面の全体を覆うように蓋体を被せることができる。
図１６（ａ）は図１に示すような断面Ｕ字型のプレキャストコンクリートからなるブロック（１）の上部開放面に蓋体（２１）を被せた状態を示す断面図であり、（ｂ）は図８に示すようなプレキャストコンクリートからなる左右の側壁板と現場打ちで形成される底部を有する断面Ｕ字型の組立て水路（１００）の上部開放面に蓋体（２１）を被せた状態を示す断面図である。
【００５７】
このように、蓋体（２１）を被せることにより、図中Ａ−Ａ線で示すように、土中深くに埋設して設置することが可能となる。このとき、土被りの厚さによって応力計算を行い、各種断面を決定することができる。
尚、（ａ）のブロックは、図１９にて後述するように、護岸の法面（Ｃ−Ｃ線）に対して他のコンクリート積みブロックと共に構築することができ、これによって水中動物が遡上し易い勾配を持った水路が護岸法面と共に一体化できる。尚、Ｃ−Ｃ線の左側に描かれた破線は法面に積み上げられた石積みブロックを示している。
また、Ｂ−Ｂ線で示すように地表面に沿って埋設した場合には、水路に落ちることなく水路の上を人や自動車等が通行できるようになる。
【００５８】
以上説明した本発明に係るブロックは、例えば以下のような場所に適用することができる。
図１７は、本発明が好適に適用される場所の一例を示す概略断面図である。
図１７は、水田に上流の河川、池、沼等（以下、河川等と略）から水路を介して水が引かれている一般的な水田周辺の排水構造の断面構造を示している。
この断面構造の説明は、背景技術の項で述べた通りであって、図１７中、（Ａ）は水田、（Ｂ）は水路、（Ｃ）は河川、（Ｄ）はコンクリート張りされた河川の法面、（Ｅ）は堤防、（Ｆ）は水門、（Ｇ）は水田から水路へ通じる小水路、（Ｈ）は小水路への水の流通を調節するために畦に設けられた堰板、（Ｉ）は水路から河川へと通じる水通路である。
【００５９】
本発明は、図１７に示す断面構造、具体的には、水田（Ａ）に水を供給するための水路（Ｂ）と、該水路（Ｂ）内の水が排水される河川（Ｃ）とが、堤防（Ｅ）を挟んで位置しており、該堤防（Ｅ）の内部には水路（Ｂ）の水を河川（Ｃ）へと排水するための水通路（Ｉ）が貫通しているとともに、前記河川（Ｃ）の該堤防（Ｅ）側の法面（Ｄ）には同形状のコンクリートブロック（Ｋ）が積み重ねられており、該法面（Ｄ）には前記水通路（Ｉ）の出口（Ｉ１）が開口している排水構造に適用することができる。
そして、本発明は上記排水構造において、特に、河川（Ｃ）から水通路（Ｉ）の河川側出口（Ｉ１）、水路（Ｂ）から河川（Ｃ）へと通じる水通路（Ｉ）、水田（Ａ）から水路（Ｂ）へ通じる小水路（Ｇ）に対して好適に適用されるものである。
【００６０】
図１８は水通路（Ｉ）の河川側出口（Ｉ１）を河川側から見た図、図１９はその断面図であって、本発明に係るブロックが適用された本発明に係るブロック構造を示す。
河川（Ｃ）の堤防（Ｅ）側の法面（Ｄ）には同形状のコンクリートブロック（Ｋ）が積み重ねられているのが一般的であるが、本発明に係るブロック構造は、これら積み重ねられたコンクリートブロック（Ｋ）の一部を水路となる空間部を有する他のコンクリートブロック（１）（本発明に係るブロック（１））に置き換えることによって、法面（Ｄ）に沿って河川（Ｃ）の底から河川側出口（Ｉ１）に向かう傾斜水路（２０）を形成したものである。
【００６１】
このような傾斜水路（２０）を設けることによって、河川（Ｃ）に生育する水中動物は、河川の水位が低いときであっても、傾斜水路（２）を通って河川側出口（Ｉ１）から水通路（Ｉ）へと遡上することが可能となる。尚、傾斜水路（２０）の河川側出口（Ｉ１）に接続する端部に位置するブロック（１）の側壁には開口部を設けて、傾斜水路から水通路（Ｉ）への出入りを可能とする。
傾斜水路（２０）の勾配は、生育する水中動物の種類に応じて適宜設定することができ特に限定されない。一般的には水中動物の遡上が容易となるようにできるだけ緩やかな方が好ましいが、幅方向スペースの制約を考えると１０〜３０°の範囲に設定するのが現実的である。
【００６２】
傾斜水路（２０）は、複数のブロックを長さ方向に連結することによって形成することができ、そのブロックとして上記説明した突出壁（６）を備えた各ブロック（１）を適用することが可能である。このとき、各ブロック（１）の開放された上面にはこれを塞ぐ蓋ブロック（２１）を被覆固定する。
【００６３】
傾斜水路（２０）を上記説明したブロック（１）から形成することによって、傾斜水路の底部分に土砂が自然に堆積されて動植物の生育環境が創り出されるとともに、傾斜水路を通って遡上する水中動物の遡上が非常に容易となる。
【００６４】
また、図１９で示したように、このブロック構造においては、ブロック（１）の法面表面側の側壁に打ち抜き可能な薄肉部（２２）を設ける構成が好ましく採用できる。
このように構成すると、必要に応じて薄肉部（２２）を打ち抜いて開口部を形成し、傾斜水路内のメンテナンスを行うことが可能となる。また、場合によっては、薄肉部（２２）に代えて予め開口部を設けておいても良い。
【００６５】
さらに、図１９で示したように、このブロック構造においては、ブロック（１）の法面表面側の側壁に突出部（２３）を設ける構成が好ましく採用できる
このような突出部（２３）を設けると、ブロック積みされた法面表面に人が登るための足場が形成され、災害時などの避難を助けることができるとともに、水路のメンテナンスも容易となる。
【００６６】
また、本発明は図１７に示した排水構造における水路（Ｂ）、水田から水路へ通じる小水路（Ｇ）、水路から河川へと通じる水通路（Ｉ）にも適用することができる。
すなわち、これらの水路（Ｂ）、小水路（Ｇ）、水通路（Ｉ）を、上記した本発明に係るブロック（１）を長さ方向に接続して連設することによって形成すればよい。
このとき、小水路（Ｇ）、水通路（Ｉ）については、図１６に示したように、各ブロック（１）の開放された上面にはこれを塞ぐ蓋ブロック（２１）を被覆固定する。
【００６７】
図２０は、本発明が好適に適用される場所の他の例を示す概略断面図である。
この場所は、河川（Ｃ）に堰（Ｓ）が設けられており、堰（Ｓ）の下流側の河床表面から堰（Ｓ）を貫通して堰（Ｓ）の上流側の河床表面に至るように傾斜水路（２０）が形成されている。
この傾斜水路（２０）は、上記した本発明に係るブロック（１）を長さ方向に接続して連設することによって形成される。
【００６８】
傾斜水路（２０）は、ブロック（１）が堰（Ｓ）の下流側の河床表面に露出した入口部（２Ａ）と、ブロック（１）が堰（Ｓ）の上流側の河床表面に露出した出口部（２Ｂ）と、これら入口部（２Ａ）と出口部（２Ｂ）を繋ぐようにブロック（１）が河床下に埋設された中間部（２Ｃ）とからなる。尚、入口部（２Ａ）とは遡上する水中動物の入口を意味し河川の下流側に位置し、出口部（２Ｂ）とは遡上する水中動物の出口を意味し河川の上流側に位置する。
入口部（２Ａ）と出口部（２Ｂ）においては、ブロック（１）の上面は開放された状態であっても蓋ブロックにより被覆された状態であってもよいが、中間部（２Ｃ）においてはブロック（１）の上面は蓋ブロックにより被覆される必要がある。
【００６９】
図２１は、図２０の出口部（２Ｂ）の端部（最上流側）に設置するブロックとして好適に用いられるブロック（１）の外観斜視図である。尚、図中の矢印が水流の方向を示している。
図２１示のブロック（１）は、Ｕ字状断面を有するブロックを変形したものであって、その入口側（図左側）はＵ字状断面のままで開口しているが、出口側（図右側）は側壁が底板（２）に向かって傾斜してその端部（上流側端部）が底板（２）の表面と合致している。また、一方の側壁（３）は、長さ方向の中途部から他方の側壁（４）に向けて斜めになっており、その端部（上流側端部）は他方の側壁（４）の端部（上流側端部）にまで達している。そして、一方の側壁（３）の上流側端部は、上流側に向けて徐々に低くなる傾斜面に形成され、流れてきたゴミ等が側壁（３）に引っ掛かるのを防いでいる。
【００７０】
また、他方の側壁（４）には、上端から底板（２）まで達する切欠部（１７）が形成されており、この切欠部（１７）は水中動物（特に魚）がブロック（１）に出入りするための開口部となる。尚、この開口部は生息する魚の大きさに合わせて大きくしてもよいし、複数箇所に設けてもよい。
そして、この切欠部（１７）よりやや下流側位置のブロック内部には、平面視Ｌ字状の金網（２５）が着脱可能に配設されている。この金網（２５）は、Ｌ字を形成する一方の面が一方の側壁（３）から他方の側壁（４）に向けて水路幅方向に延び、Ｌ字を形成する他方の面が水路長さ方向上流側に延びている。ここで、一方の面は他方の側壁（４）には達しておらず、他方の面は水路の長さ方向の上流側に向けて延びている。
このような金網（２５）が水路（ブロック）内に配設されていることによって、水流にのって流れてきた水草などを金網で捕捉して水路に流れ込むのを防ぐことが可能となる。
このようなブロックを設置すると、図中に魚マークで示すようにＡ→Ｂ→Ｃ→Ｄの経路を経て魚が遡上することができる。
【００７１】
図２２は、本発明が好適に適用される場所をまとめて示した河川の右岸の概念図であり、図中の符号は図１７と対応している。
図２２において、河川（Ｃ）から水通路（Ｉ）の河川側出口（Ｉ１）にかけての部分（図中の左側一点鎖線参照）への適用は図１８及び１９にて説明した通りであり、水路（Ｂ）から河川（Ｃ）へと通じる水通路（Ｉ）への適用は図１６にて説明した通りであり、河川を横断している落差工や堰（Ｓ）の下流側から上流側に至る部分（図中の右側の一点鎖線参照）への適用は図２０にて説明した通りである。
【００７２】
また図示しないが、本発明は、舗装道路の両側に側溝水路が設けられている場合において、この道路脇に設置される水路を、上記した本発明に係るブロックを長さ方向に接続して連設することによって形成することができる。
このような場所では、道路上に降った雨水は、舗装道路の横断勾配に沿って流れて側溝水路へと達するが、その流下水にはアスファルトの劣化物、タイヤの摩耗物、骨材の擦り減り物、排気ガスの路面付着分などが含まれており、これらが流れ込むことによって側溝水路は生物にとってあまり好ましくない環境となっているが、本発明に係るブロック（１）を使用することによって、環境を改善して生物にとって好適な生育空間を水路内に創り出すことができる。
【産業上の利用可能性】
【００７３】
本発明は、河川の環境保全と回復を重視した河川整備のために好適に利用することができる。
【図面の簡単な説明】
【００７４】
【図１】本発明に係る環境保全型ブロックの第一実施形態を示す外観斜視図である。
【図２】突出壁の具体的形状の一例を示す水路幅方向断面図である。
【図３】突出壁の具体的形状の一例を示す水路長さ方向断面図である。
【図４】本発明に係る環境保全型ブロックにおいて、小突起の形成方法の例を示す断面図である。
【図５】ブロックの拡幅部の上方に蓋体を設けて設置した状態を示す断面図である。
【図６】本発明に係る環境保全型ブロックの第二実施形態を示す外観斜視図である。
【図７】本発明に係る環境保全型ブロックの第三実施形態及びこれをプレキャスト側溝ブロックからなる水路に適用した状態を示す外観斜視図である。
【図８】本発明に係る環境保全型ブロックの第三実施形態及びこれを現場打ちで底面を形成する組立て水路に適用した状態を示す外観斜視図である。
【図９】本発明に係る環境保全型ブロックの第四実施形態を示す外観斜視図である。
【図１０】第四実施形態に係るブロックを既存のコンクリートで形成された三面張りの水路に設置した状態を示す図である。
【図１１】第三又は第四実施形態に係るブロックを用いた本発明のブロック構造の水路縦断方向断面図である。
【図１２】底面が現場打ちコンクリートからなる組立て水路において、突出壁及び小突起をプレキャストコンクリート板からなる側壁板に予め一体的に形成した例を示す図である。
【図１３】本発明に係る環境保全型ブロックの第五実施形態を示す外観斜視図である。
【図１４】本発明に係る環境保全型ブロックの第六実施形態を示す図であり、（ａ）は平面図、（ｂ）は（ａ）のＡ−Ａ線断面図である。
【図１５】本発明に係る環境保全型ブロックの第七実施形態を示す外観斜視図である。
【図１６】（ａ）は断面Ｕ字型のプレキャストコンクリートからなるブロックの上部開放面に蓋体を被せた状態を示す断面図であり、（ｂ）はプレキャストコンクリートからなる左右の側壁板と現場打ちで形成される底部を有する断面Ｕ字型の組立て水路の上部開放面に蓋体を被せた状態を示す断面図である。
【図１７】本発明が好適に適用される場所の一例を示す概略断面図である。
【図１８】図１７における水通路の河川側出口を河川側から見た図であって、本発明に係るブロックが適用された本発明に係るブロック構造を示す。
【図１９】図１８の断面図であって、本発明に係るブロックが適用された本発明に係るブロック構造を示す。
【図２０】本発明が好適に適用される場所の他の例を示す概略断面図である。
【図２１】図２０の出口部の端部（最上流側）に設置するブロックとして好適に用いられるブロックの外観斜視図である。
【図２２】本発明が好適に適用される場所をまとめて示した河川の右岸の概念図である。
【図２３】水田から河川等にかけての一般的な断面構造を示す図である。
【符号の説明】
【００７５】
１，１ａ  環境保全型ブロック
２，２ａ  底板（底板部）
３，３ａ  側壁（側壁部）
４        側壁
４１      拡張部分（拡幅部）
５，５ａ，５ｂ  突出壁
５１，５１ａ，５１ｂ  突出壁の水路の上流側に向く面
５２，５２ａ，５２ｂ  突出壁の先端
６，６ａ，６ｂ  小陥没部
７，７ａ，７ｂ  突出部
７１，７１ａ，７１ｂ  インサート孔
７３    インサート部品
９ａ    アンカーボルト挿入用穴
１０    アンカーボルト
２０    傾斜水路
２１    蓋ブロック
１００  水路
１０２  側壁板
１０２  現場打ちコンクリートからなる底面
Ａ      水田
Ｂ      水路
Ｃ      河川
Ｄ      コンクリート張りされた河川の法面
Ｅ      堤防
Ｇ      水田から水路へ通じる小水路
Ｉ      水路から河川へと通じる水通路
Ｉ１    水通路の出口
Ｋ      法面に積まれた同形状のコンクリートブロック
【図１】
2005082972.tif 000003
【図２】
2005082972.tif 000004
【図３】
2005082972.tif 000005
【図４】
2005082972.tif 000006
【図５】
2005082972.tif 000007
【図６】
2005082972.tif 000008
【図７】
2005082972.tif 000009
【図８】
2005082972.tif 000010
【図９】
2005082972.tif 000011
【図１０】
2005082972.tif 000012
【図１１】
2005082972.tif 000013
【図１２】
2005082972.tif 000014
【図１３】
2005082972.tif 000015
【図１４】
2005082972.tif 000016
【図１５】
2005082972.tif 000017
【図１６】
2005082972.tif 000018
【図１７】
2005082972.tif 000019
【図１８】
2005082972.tif 000020
【図１９】
2005082972.tif 000021
【図２０】
2005082972.tif 000022
【図２１】
2005082972.tif 000023
【図２２】
2005082972.tif 000024
【図２３】
2005082972.tif 000025